Podtech/llm-jp-corpus-v4-ja_patent huggingface dataset:
(57)【要約】【課題】  効果的に増毛を図ることのできる道具を提供する。【解決手段】  弾性を有する突起部４を備えた頭たたき部２と、頭たたき部２に連続する柄部３とを備える頭たたき具１。突起部４の各々は、略々半球状に形成することが好ましく、頭部表面との接触部を曲面状にすることにより、頭部で痛みを感じないようにし、半球状突起部の外径を５ｍｍ以上、１５ｍｍ以下として頭部表面との接触部分を７〜８ｍｍ程度の円形とすることが最適である。突起部４の個数を４個乃至２０個とすることが好適であり、同時に頭部表面の数ヶ所を同時にたたくことができ、使い勝手が向上する。柄部３を握って弾性を有する突起部４で頭部表面をたたくことにより、単に、頭皮等を刺激して増毛を図るのではなく、毛穴から脂質を押し出して効果的に増毛を図る。【選択図】  図１
0003102025.tif 000002
【実用新案登録請求の範囲】
【請求項１】
弾性を有する突起部を備えた頭たたき部と、
該頭たたき部に連続する柄部とを備えることを特徴とする頭たたき具。
【請求項２】
前記突起部の各々は、略々半球状に形成されることを特徴とする請求項１記載の頭たたき具。
【請求項３】
前記半球状突起部の外径が、５ｍｍ以上、１５ｍｍ以下であることを特徴とする請求項２記載の頭たたき具。
【請求項４】
前記突起部の個数が、４個以上、２０個以下であることを特徴とする請求項１、２または３記載の頭たたき具。
【考案の詳細な説明】
【技術分野】
【０００１】
本考案は、頭たたき具に関し、特に、使用者が自分自身で頭部表面をたたくことにより、増毛を図ることのできる頭たたき具に関する。
【背景技術】
【０００２】
従来、頭髪が減少するのを防止したり、髪の毛の薄くなった者が増毛を図るため、種々の方策が実施されている。例えば、いわゆる毛はえ薬を使用することにより、頭皮における雑菌の繁殖を防止し、血行を促進し、毛根を刺激し、脂質を除去すること等により、発毛環境を整え、発毛促進効果を高めることが行われている。また、頭部の表面をマッサージしたり、軽くたたいたりすることにより、毛根を刺激して発毛が促進されることも知られている。
【考案の開示】
【考案が解決しようとする課題】
【０００３】
しかし、毛はえ薬は、通常高価であり、毛はえ薬を用いることによって投資した金額に見合うような効果が得られるか否かは疑問であるという問題があった。また、手の拳や簡単な道具を用いて頭部の表面を軽くたたき、毛根を刺激して発毛を促進する効果もある程度判明しているが、十分に満足することのできる発毛促進手段とはいえなかった。
【０００４】
そこで、本考案は、上記問題点に鑑みてなされたものであって、効果的に増毛を図ることのできる道具を提供することを目的とする。
【課題を解決するための手段】
【０００５】
上記目的を達成するため、本考案は、頭たたき具であって、弾性を有する突起部を備えた頭たたき部と、該頭たたき部に連続する柄部とを備えることを特徴とする。
【０００６】
そして、本考案によれば、柄部を握って弾性を有する突起部によって頭部表面をたたくことによって発生した打圧によって毛穴から脂質を押し出し、効果的に増毛を図ることができる。
【０００７】
前記突起部の各々を、略々半球状に形成することができ、その際の半球状突起部の外径を、５ｍｍ以上、１５ｍｍ以下とすることが好ましい。また、突起部の個数を、４個以上、２０個以下とすることが好ましく、これによって、一度に頭部表面の数ヶ所を同時にたたくことができ、使い勝手が向上する。
【考案の効果】
【０００８】
以上説明したように、本考案にかかる頭たたき具によれば、使用者が自分自身で頭部をたたくことによって発生した打圧によって毛穴から脂質を押し出し、効果的に増毛を図ることができる。
【考案を実施するための最良の形態】
【０００９】
図１は、本考案にかかる頭たたき具の一実施の形態を示し、この頭たたき具１は、半球状の突起部４を備えた頭たたき部２と、頭たたき部２に連続する柄部３とで構成される。
【００１０】
突起部４は、頭たたき部２の表面から突出し、同図では、６個配置されているが、突起部４の個数は、６個に限定されることはなく、２０個程度以内とし、一度に頭部表面の数ヶ所を同時にたたくには４個以上とすることが好ましい。突起部４の径を比較的大きくすると、突起部４の個数は少なくなり、突起部４の径を比較的小さくすると、突起部４の個数は多くなるが、いずれにしても、突起部４で頭部の表面をたたくことにより、毛穴から脂質を押し出す効果が発揮されればよい。
【００１１】
また、突起部４は、図１のように左右対称に配置しなくともよく、左右の位置に大きなアンバランスがなければよい。さらに、突起部４は、半球状でなくとも、先端面が曲面状であれば、頭部表面に痛みを感じることがなく、好ましい。
【００１２】
突起部４を半球状に形成した場合には、突起部４の外径を５ｍｍ乃至１５ｍｍの範囲に設定することが好ましく、これによって、頭部表面をたたいたときに、突起部４と頭部表面との接触部分が７ｍｍ乃至８ｍｍ程度の径の円形状となるようにすると最適である。
【００１３】
柄部３は、頭たたき部２に連続する板状に形成される。この柄部３及び頭たたき部２を一体に形成してもよく、突起部４を含めて頭たたき具１全体をゴム等で一体に形成することもできる。また、突起部４以外の頭たたき部２及び柄部３は、ゴム等の弾性体で形成せず、木材等で形成し、球状の弾性体としての突起部４を頭たたき部２に埋め込むようにすることも可能である。
【００１４】
頭たたき具１を使用するにあたっては、図２に示すように、片手で頭たたき具１の柄部３を把持し、頭たたき具１を振り下げて突起部４を直接頭部表面に衝突させる動作を繰り返す。これによって、打圧で毛穴から脂質を押し出すことができ、効果的に増毛を図ることができる。
【図面の簡単な説明】
【００１５】
【図１】本考案にかかる頭たたき具の一実施の形態を示す図であって、（ａ）は平面図、（ｂ）は正面図、（ｃ）は側面図である。
【図２】図１の頭たたき具の使用要領を説明するための概略斜視図である。
【符号の説明】
【００１６】
１    頭たたき具
２    頭たたき部
３    柄部
４    突起部
【図１】
0003102025.tif 000003
【図２】
0003102025.tif 000004
(57)【要約】【課題】  結界区域が設けられても展示物の説明文カードの説明文が読みやすく、しかも展示物が替わっても、その都度簡単に対応できることを目的とする。【解決手段】  支柱間を連結する結界部材に結界用表示板を着脱自在に設けた展示物の結界用表示板とした。【選択図】  図４
0003102022.tif 000002
【実用新案登録請求の範囲】
【請求項１】
支柱間を連結する結界部材に結界用表示板を着脱自在に設けた展示物の結界用表示板。
【請求項２】
結界部材は、概略断面が長方形のアルミ押出型材の結界バーと、結界バー内に摺動自在に設けた取付スライダーとよりなり、結界用表示板を取付スライダーに螺締するようにした請求項１記載の展示物の結界用表示板。
【考案の詳細な説明】
【技術分野】
【０００１】
本考案は、美術館、博物館等で絵画、彫刻その他の展示物を展示する際、観賞者が展示物に手で触れることを禁止する、展示物に近づけないようにするために、観賞者が入ることを許さない結界区域を設ける。結界区域は展示物が展示される壁面等から一定距離の箇所に支柱を置き、支柱間を結界部材で連結している。
【０００２】
ところで、展示物の説明文カードは展示物の直下等の近傍に配置されている。
【０００３】
本考案は、展示物の結界区域を区画する結界部材に説明文を記載した表示板を着脱移動自在に設けたものである。
【背景技術】
【０００４】
美術館、博物館等で絵画、彫刻その他の展示物を展示する際、観賞者が展示物に手で触れることを禁止する、展示物に近づけないようにするために、観賞者が入ることを許さない結界区域を設ける。結界区域が設けられると、展示物の近傍の説明文カードから観賞者が離れるので、説明文は読みにくくなる。
【特許文献１】特開２００３−２２５１２６号公報
【特許文献２】特開平１１−２５９７７０号公報
【考案の開示】
【考案が解決しようとする課題】
【０００５】
展示物に対して、結界区域が設けられると、展示物の近傍の説明文カードから観賞者が離れ、説明文が読みにくくなるので、結界区域が設けられても展示物の説明文カードの説明文が読みやすく、しかも展示物が替わっても、その都度簡単に対応できることが求められている。
【課題を解決するための手段】
【０００６】
そこで、本考案は、上記の事情に鑑み、結界区域が設けられても展示物の説明文カードの説明文が読みやすく、しかも展示物が替わっても、その都度簡単に対応できるようにすべく、支柱間を連結する結界部材に結界用表示板を着脱自在に設けた展示物の結界用表示板とした。
【０００７】
また、本考案は、具体的には、結界部材は、概略断面が長方形のアルミ押出型材の結界バーと、結界バー内に摺動自在に設けた取付スライダーとよりなり、結界用表示板を取付スライダーに螺締するようにした。
【考案の効果】
【０００８】
本考案は、上述のように、支柱間を連結する結界部材に結界用表示板を着脱自在に設けた展示物の結界用表示板であるので、結界区域が設けられても展示物の説明文カードの説明文が読みやすく、しかも展示物が替わっても、その都度簡単に対応できる。
【０００９】
また、本考案は、結界部材は、概略断面が長方形のアルミ押出型材の結界バーと、結界バー内に摺動自在に設けた取付スライダーとよりなり、結界用表示板を取付スライダーに螺締するようにしたので、結界区域が設けられても展示物の説明文カードの説明文が読みやすく、しかも展示物が替わっても、その都度簡単に対応できる。
【考案を実施するための最良の形態】
【００１０】
本考案を添付する図面の具体的な実施例に基づいて、以下詳細に説明する。
【００１１】
美術館、博物館等の絵画、彫刻等の展示物の前には、観賞者が展示物に手で触れることを防止するために結界区域を設ける。
【００１２】
図１に示すように、支柱１と支柱１との間に結界部材２を架設する。本考案では、展示物の説明文カードの説明文が読みやすいように、説明文を記載した結界用表示板３を結界部材２に着脱自在に設ける。
【００１３】
図２、図３に結界部材２の支柱１への取付要領を示す。支柱１の外周に一側が円弧面で他側が平面である樹脂製の座板３を介在させて連結体４をキャップボルト５により螺締する。座板３の円弧面は切削加工により形成する。
【００１４】
結界部材２の結界バー１１は概略断面が長方形のアルミ押出型材で、その内部にキャップボルト６をＵナット７で螺締し、結界バー１１の下端に位置決めピン９を取付け、９０°回転させて回り止めとし、ビス１０で固定し、連結体４上面の凹部８にキャップボルト６を嵌め、結界バー１１を連結する。
【００１５】
図４に結界部材２に結界用表示板１２を装着した状態を示し、図５は図４の結界用表示板１２のみの平面図である。
【００１６】
結界バー１１の下部内面には溝１２を刻設し、この溝１２にアクリル製の取付スライダー１３を摺動自在に設ける。
【００１７】
結界用表示板３は透明の２ｍｍの厚さのアクリル板を結界バー１１に沿うように屈曲させ、斜め上方に延出させ、説明文を貼る部分は強度を維持するため二重にする。結界用表示板３はその下部の挿通孔１３にネジ１４を通して取付スライダー１３のネジ孔１５に螺着する。
【００１８】
結界用表示板はアクリル板の例について述べたが、これに限定されず金属板、その他の材質のものでよい。また、上方に延出するものについて述べたが、下方に延出するものであってもよい。
【００１９】
取付スライダーはアクリル製について述べたが、これに限定されるものでなく、金属製あるいはアルミ押出型材であってもよい。
【実施例】
【００２０】
結界部材の断面は、横１９ｍｍ、縦５５ｍｍである。
【産業上の利用可能性】
【００２１】
本考案は、展示物の結界用表示板として開発したが、道路の道案内や表示の表示板として利用することもできる。
【図面の簡単な説明】
【００２２】
【図１】本考案の全体の概要を示す正面図である。
【図２】支柱の結界部材の連結要領を説明する２面図の正面図である。
【図３】図２の２面図の平面図である。
【図４】結界部材に結界用表示板を装着した状態の縦断面図である。
【図５】図４の結界用表示板のみの平面図である。
【符号の説明】
【００２３】
１…支柱
２…結界部材
３…結界用表示板
１１…結界バー
１２…取付スライダー
【図１】
0003102022.tif 000003
【図２】
0003102022.tif 000004
【図３】
0003102022.tif 000005
【図４】
0003102022.tif 000006
【図５】
0003102022.tif 000007
(57)【要約】      （修正有）【課題】光ファイバーケーブルに簡単に装着可能で、落脱の心配が無く、耐候性が良い。【解決手段】銀塩写真処理を施した陽極酸化アルミで耐候性のある表面を有し、ケーブル３への取り付けの際の折り曲げによる破断を避ける為にアルミ合金本体を予め焼鈍しておき、その裏面には引張り強度に優れた長繊維質基材からなる両面テープを貼り付けた構造で、細い光ファイバーケーブル等に容易に折り曲げ挟み込み接着固定できるので施工が簡単であり、取り付け後の落脱の心配がない。【選択図】図２
0003102017.tif 000002
【実用新案登録請求の範囲】
【請求項１】
銀塩写真処理を施した陽極酸化アルミ合金で耐候性のある表面を有し、折り曲げによる破断を避ける為にアルミ合金本体を予め焼鈍しておき、その裏面に引張り強度に優れた長繊維質基材からなる両面テープを貼り付けた構造で、細い光ファイバーケーブル等に折り曲げ挟み込み接着固定できることを特徴とする表示板
【考案の詳細な説明】
【技術分野】
【０００１】
本考案は、光ファイバーケーブルに簡単に装着可能で落脱の心配の無い、耐候性の良いアルミ表示板に関する物である。
【背景技術】
【０００２】
従来のケーブル表示板のケーブルへの取り付は、針金、番線、ビニロン縛り紐、ナイロンバンド等を用いて巻きつけたり、吊り下げたりして取り付けが行われていた。
【０００３】
過去のケーブルは銅心線の樹脂皮膜ケーブルが中心であり、その直径も太く番線、紐等を使用して、しっかりとかつケーブルに応力がかからない状態で表示板を固定する事が可能であった。
【０００４】
しかし最近は光ファイバーケーブルの敷設が増加し、それらの表示板の取り付けに際し如何にケーブルを安全に扱うかということで問題が生じていた、光ファイバーケーブルはその内部のメッセンジャーワイヤーを含めても従来のケーブルと比較して極細であり、番線、縛り紐等で取り付ける際、ケーブルへのダメージを最小にする為に結束の際細心の注意が求められていたり、ほとんどの場合表示板の取り付けが不能であった。
【考案の開示】
【考案が解決しようとする課題】
【０００５】
解決しようとする問題点は、光ファイバーケーブルに表示板を取り付ける際、針金、番線、ビニロン紐等の従来の結束固定取り付け方ではケーブルに応力がかかりケーブルを破損してしまう点であり、構造強度の弱い細い光ファイバーへ表面耐候性の良い表示板の取り付け方法を改善することが課題であった。
【課題を解決するための手段】
【０００６】
本考案は、銀塩写真処理を施した陽極酸化アルミ合金で耐候性のある表面を有し、折り曲げによる破断を避ける為にアルミ合金本体を予め焼鈍しておき、その裏面に引張り強度に優れた長繊維質基材からなる両面テープを貼り付けた構造で、細い光ファイバーケーブル等に折り曲げ挟み込み接着固定できることで問題を解決した。
【考案の効果】
【０００７】
本考案の挟み込み接着式アルミ表示板は、取り付けの際、結んだり縛ったりする部材を使用しないで、表示板本体をケーブルに挟み込み貼り付けるのみの簡便な方法で取り付けることが可能であり、その構造からケーブルへの応力はまったくかからず、接着両面テープ支持体が長繊維質基材である為、引っ張り強度にすぐれ落脱の危険がほとんど無いという利点がある。
【考案を実施するための最良の形態】
【０００８】
印字面の耐候性を確保する為に銀塩写真処理を施した陽極酸化アルミを使用し、折り曲げ挟み込みしても、折り曲げ部分からの線断を少なくする為にアルミ合金を予め焼鈍させておき、取り付け容易な両面テープを使用しながらも、引張り強度を強めケーブルからの落脱を最小限にすることを、長繊維基材の両面テープを使用することで実現した。
【実施例１】
【０００９】
図１は、本考案表示板の１実施例の斜視図であって、予め中央部分でＶ字に折り曲げ、両面テープの剥離紙を取り３のケーブルに挟み込んだ状態が図２である。
【００１０】
その後本体表示板をしっかり貼り合わせて、ケーブルに取り付け施工した状態が図３である。
【００１１】
耐候性に優れ、簡単に落脱しない構造でありながら、この様に簡単に施工できるので、高所、高温、低温の環境下でも手短な作業が可能になる。
【図面の簡単な説明】
【００１２】
【図１】表示板の斜視図である。（１実施例）
【図２】表示板をケーブルに挟み込んだ状態の図である。
【図３】表示板を完全に取り付けた図である。
【符号の説明】
【００１３】
１    表示板本体
２    長繊維基材両面テープ
３    光ファイバーケーブル
【図１】
0003102017.tif 000003
【図２】
0003102017.tif 000004
【図３】
0003102017.tif 000005
(57)【要約】      （修正有）【課題】炭類の粉粒体を有効に活用する。【解決手段】各種炭類を製造の際得られる粉粒体や直接の使用が困難で炭類を粉砕して得られる粉粒体１を天然樹脂ベースの接着剤で任意形状に固形化してブロック体２とする。【効果】地面に敷いて雑草の生育を阻害したり、透水性を利用して水はけを良くしたりすることもできる。また、屋上庭園用に苗床の代用に使用することもできる。さらに、断熱材や植木鉢、レンガとして使用することもできる。また、透水性路盤面に使用することもできる。とくに、炭類の粉粒体の接合を天然樹脂ベースの接着剤でおこなっているので、本ブロック体を使用終了後、粉砕して土壌改良剤として土壌に返しても環境問題を一切起こさないという特長がある。【選択図】図２
0003102320.tif 000002
【実用新案登録請求の範囲】
【請求項１】
各種炭類の粉粒体を天然樹脂ベースの接着剤で任意形状に接合し固形化したブロック体。
【考案の詳細な説明】
【技術分野】
【０００１】
本考案は炭類の粉粒体を接合し固形化したブロック体に関する。
【背景技術】
【０００２】
従来、主に木炭の生産時に得られる粉粒炭等を練り固め練炭として、燃料に使用されている。近時、木炭は間伐材や流木の処理としてそれらを原料に生産されるようになったが、燃料としては形状が不統一で取り扱いが困難であるという問題がある。炭類には木炭のほか竹炭やオカラ炭、籾殻炭、木屑炭などもあるが、燃料として取り扱いが困難な場合があり、活用方法が望まれている。特許文献１によれば、流動コンクリートを敷設し硬化した法面に木炭の粉粒体を混入させるとともに有用微生物群を介在させ、植物の根の発育を促進するというが、不明な点が多い。また、特許文献２によれば、木炭を粉砕して粉粒とし、粉粒度を整え、植物性接着剤、セメント、木酢液、木の繊維状破砕物を混ぜ合わせ圧力をかけてブロック状に成形し乾燥したものを提案し、建材として防湿、断熱、防音、防臭性に優れたものが得られるというが、木酢液や木の繊維状破砕物による経時変化がブロックの形状を不安定にしかつ環境に悪影響を及ぼすことも懸念される。
【０００３】
【特許文献１】特開平10-317384
【特許文献２】特開平11-131633
【考案の開示】
【考案が解決しようとする課題】
【０００４】
本考案は炭類の粉粒体を如何に有効に活用するかである。
【課題を解決するための手段】
【０００５】
ここにおいて本考案者は各種炭類を製造の際得られる粉粒体や直接の使用が困難な炭類を粉砕して得られる粉粒体を天然樹脂ベースの接着剤で任意形状に固形化して得られるブロック体を各種目的に活用し得ることを見出し、ブロック体として直方体が好適であることを見出すに至った。
【考案の効果】
【０００６】
本考案により得られるブロック体は地面に敷いて雑草の生育を阻害したり、透水性があるので水はけを良くしたりすることもできる。また、屋上庭園用に苗床の代用に使用することもできる。さらに、防湿、断熱、防音、防臭性に優れるので建築用部材に使用したり、植木鉢やレンガとして使用することもできる。また、路面に敷いて透水性路盤面として使用することもできる。とくに、炭類の粉粒体の接合を天然樹脂ベースの接着剤でおこなっているので、本考案のブロック体は使用終了後、粉砕して土壌改良剤として土壌に返しても環境問題を一切起こさないという特長がある。
【考案を実施するための最良の形態】
【０００７】
本考案のブロック体を作るには各種炭類を製造の際得られる粉粒体や直接の使用が困難な炭類を粉砕して得られる粉粒体を接着剤で任意形状に固形化すればよい。この際の接着剤は環境に害をもたらさない天然樹脂ベースの接着剤を使用する。ブロック体の形状は60cm×45cm×3 〜5cm のものなどが使用しやすい。
【０００８】
天然樹脂ベースの接着剤はたとえば、エコ・リビング・コーポレーション社の販売になる天然接着剤を使用することができ、このものは天然樹脂ベースの液状接着剤であり、成分はすべて天然物であり、有害、有毒ガスは発生せず、塩素系炭化水素や非分解性環境破壊物質も含んでいない。したがって、生物に直接触れても害はなく、かつ植物性の溶剤を使用しているので、室内環境にも良い影響を与える。
【０００９】
図１にレンガ状の形状をしたブロック体を示してあるが、炭本来の吸着性等を利用して建築用部材に利用することができる。また、図２は板状にしたものを地面に敷き、通路に使用したもので、透水性があるので水はけがよく、歩き易い。
【図面の簡単な説明】
【００１０】
【図１】本考案によるブロック体の形状例
【図２】本考案による板状ブロック体を通路に敷いた例
【符号の説明】
【００１１】
１  炭類の粉粒体
２  ブロック体
【図１】
0003102320.tif 000003
【図２】
0003102320.tif 000004
(57)【要約】【課題】  極めて簡単に締めることができて結び目がずれることがなく、帯体の折返す部分が外観から露出しないので、外側から視認ができないし、大人でも、子供でも簡単に着用できるばかりでなく、帯体を結んで締め上げて結び目を形成したものと全く同様な外観となる帯を提供する。【解決手段】  長尺な帯体１の一端側１ａに結び目、羽根部などの装飾部３及び通し具２が取付けられ、帯体１の他端側１ｂの裏面に面ファスナー４の一片４ａを設けると共に、面ファスナー４の他片４ｂを装飾部３が取付けられている帯体１の裏面に長さ方向に沿ってほぼ全長に設けた。【選択図】  図１
0003102315.tif 000002
【実用新案登録請求の範囲】
【請求項１】
長尺な帯体の一端の表面に結び目、羽根部などからなる装飾部及び通し具を設け、前記帯体の他端の裏面に面ファスナーの一片を設けると共に、前記面ファスナーの他片を、前記面ファスナーの一片を設けてある裏面に長さ方向に沿ってほぼ全長に設けたことを特徴とする帯。
【考案の詳細な説明】
【技術分野】
【０００１】
本考案は、着物用の帯に係り、例えば浴衣の帯、祭りのハッピの帯として好適な帯に関するものである。
【背景技術】
【０００２】
この種の帯として、長尺な帯体と、この帯体とは別体に形成されて帯体の長手方向に沿って移動自在に嵌装された結び目とからなり、前記帯体の一端側の裏面に離着自在の着接部を設けると共に、前記帯体の他端に前記一端側が挿通可能な環状部を設け、前記帯体の一端側を前記環状部に挿通してその裏面どうしが密着するように折り返して前記着接部により止着すると共に、前記結び目を前記環状部の方向へ移動させてその結び目により環状部を覆い隠すように構成した帯が知られている（例えば、特許文献１参照）。
【特許文献１】特開平８−２４６２１４号公報
【考案の開示】
【考案が解決しようとする課題】
【０００３】
しかしなから、帯体の一端側を挿通した環状部の方向へ、結び目を移動させて、その結び目により環状部を覆い隠す帯は、外出時に、大勢の人と接触すると、結び目がずれて一端側を挿通して折り返す部分の環状部が露出して外側から視認されてしまうことがあり、体裁が悪い。また、着用時の長さが制限されるので、大人と子供とが兼用して利用することができない。
【０００４】
本考案は、上記した従来の欠点を改良するために提案されたもので、極めて簡単に締めることができて結び目がずれることがなく、帯体の折返す部分が外観から露出しないので、外側から視認ができないし、大人でも、子供でも簡単に着用できるばかりでなく、帯体を結んで締め上げて結び目を形成したものと全く同様な外観となる帯を提供することを目的とする。
【課題を解決するための手段】
【０００５】
上記目的を達成するために、本考案による帯は、長尺な帯体の一端の表面に結び目、羽根部などの装飾部及び通し具を設け、前記帯体の他端の裏面に面ファスナーの一片を設けると共に、該面ファスナーの他片を、前記面ファスナーの一片を設けてある裏面に長さ方向に沿ってほぼ全長に設けたことを特徴とする。
【考案の効果】
【０００６】
本考案の帯によれば、帯体の一端側を他端の通し具に挿通し、その裏面どうしが密着するように折り返して、面ファスナーにより止着することによって、結び目、羽根部などの装飾部で通し具が隠され、帯体の折返す部分が外側から視認ができないし、大人でも、子供でも簡単に着用できるばかりでなく、帯体を結んで締め上げて結び目を形成したものと全く同様な外観となる帯を提供することができる。
【考案を実施するための最良の形態】
【０００７】
以下、本考案による帯の実施例について図面を参照して説明する。図１は本考案の１実施例を示す帯体の装着状態の斜視図、図２は図１に示した帯体の開放状態の斜視図、図３は図１に示した帯体の裏面図、図４は、図３の側面図である。
【実施例】
【０００８】
図１〜図４において、本実施例の帯は長尺な帯体１を使用している。そして、帯体１の一端側１ａの表面には、帯体１の裏面に面ファスナー４の一片４ａ（多数のループ係合素子の配置面、多数のフック係合素子の配置面のいずれか一方）を設けてある。そして、面ファスナー４の一片４ａから一定間隔空けて、面ファスナー４の他片４ｂ（多数のフック係合素子の配置面、多数のループ係合素子の配置面のいずれか一方）を、前記帯体１の裏面に長さ方向に沿ってほぼ全長に設けられている。これらの面ファスナー４（４ａ，４ｂ）は帯体１の補強材として機能する。なお、面ファスナー４の一片４ａに対して面ファスナー４の他片４ｂは帯体１のほぼ全長であるから、長い寸法のものが用いられている。
【０００９】
また、帯体１の他端側１ｂの表面側には、通し具２が取付けられている。前記通し具２は金属製の矩形枠状であるが、樹脂製や布製のリングとしてもよい。この帯体１の他端側１ｂの表面には、通し具２が外側から視認できないように結び目、羽根部などの装飾部３が縫い込みや接着等により固定されている。
【００１０】
上記のように構成された帯を使用する時には、まず、帯体１の前後を逆にして装飾部３が前に来るようにして体に巻き、一端側１ａを他端１ｂの通し具２に通し、その一端側１ａを引っ張りながら裏面どうしが密着するように折り返して、面ファスナー４の一片４ａを面ファスナー４の他片４ｂに圧着させて止着する。この後、帯体１を前後逆になるように回して装飾部３を背中側に移動させる。したがって、装飾部３によって通し具２が覆い隠され、帯体の折返す部分が外側から視認ができない状態で通し具２は装飾部３の内側で保持される。
【００１１】
特に本考案によれば、面ファスナー４の他片４ｂは帯体１のほぼ全長に設けてあるので着用時の長さを大きく変えることができるため、大人でも子供でも無理なく簡単に着用できるばかりでなく、帯体を結んで締め上げて結び目を形成したものと全く同様な外観で身体に装着することができる。
【産業上の利用可能性】
【００１２】
本考案の帯は、着物の帯として使用でき、前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００１３】
【図１】本考案の１実施例を示す帯体の装着状態の斜視図である。
【図２】図１に示した帯体の開放状態の斜視図である。
【図３】図１に示した帯体の裏面図である。
【図４】図３の側面図である。
【符号の説明】
【００１４】
１  帯体
１ａ  一端側
１ｂ  他端側
２  通し具
３  装飾部
４  面ファスナー
４ａ  面ファスナー４の一片
４ｂ  面ファスナー４の他片
【図１】
0003102315.tif 000003
【図２】
0003102315.tif 000004
【図３】
0003102315.tif 000005
【図４】
0003102315.tif 000006
(57)【要約】【目的】  従来より、ワッペンは生地や刺繍の色彩と立体感を生かしたものが主流であり、特殊なものでは蛍光色の糸で刺繍を施したものがあった。しかしながらそれらは人目を捉えるには今ひとつ注目度に欠けるものであった。そこで本考案は極めて装飾性に優れ、立体的で注目性豊かなワッペンを開発することを目的とした。【構成】  布等を素材としたワッペン１の外周と図柄２の輪郭にリチウム電球３を縫着し、電源のリチウム電池４により、このワッペン１の外周と図柄２の輪郭のリチウム電球３が交互に又は同時に点滅する構造のリチウムワッペンである。【選択図】図１
0003102312.tif 000002
【実用新案登録請求の範囲】
【請求項１】
布等を素材としたワッペン１の外周と図柄２の輪郭にリチウム電球３を縫着し、電源のリチウム電池４により、このワッペン１の外周と図柄２の輪郭のリチウム電球３が交互に又は同時に点滅する構造の、リチウムワッペン。
【考案の詳細な説明】
【考案の詳細な説明】
【産業上の利用分野】
【０００１】  この考案は、ワッペンの外周と図柄の輪郭にリチウム電球を縫着したワッペンに関する。
【背景技術】
【０００２】  従来より、ワッペンは生地や刺繍の色彩と立体感を生かしたものが主流であり、特殊なものでは蛍光色の糸で刺繍を施したものがあった。しかしながらそれらは人目を捉えるには今ひとつ注目度に欠けるものであった。
【考案が解決しようとする課題】
【０００３】  本考案は極めて装飾性に優れ、立体的で注目性豊かなワッペンを創り出すことを課題とした。
【課題を解決するための手段】
【０００４】  この手段は、布等を素材としたワッペン１の外周と図柄２の輪郭にリチウム電球３を縫着し、電源のリチウム電池４により、このワッペン１の外周と図柄２の輪郭のリチウム電球３が交互に又は同時に点滅する構造のリチウムワッペンを提供する。
【考案を実施するための最良の形態】
【０００５】  本考案の実施例を図面に基づき記述する。
布等を素材としたワッペン１の外周と図柄２の輪郭にリチウム電球３を縫着し、ワッペン１の裏面に配置された基板５の作用と電源のリチウム電池４により、ワッペン１の外周と図柄２の輪郭のリチウム電球３が交互に又は同時に点滅する構造のリチウムワッペンである。【０００６】  実施例ではワッペン１の外周に赤色、図柄２の輪郭に黄色、図柄２の目玉に青色のリチウム電球３を縫着している。スイッチ７をＯＮにすると先ずワッペン１の外周の赤色が点滅し、次に図柄２である虎の輪郭の黄色が点滅し、続いて虎の目玉の青色が点滅する。そして最後にこれら３色のリチウム電球３が一斉に点滅するものである。【０００７】  リチウム電池は３ボルトのリチウム電池で３００時間程度耐用し、しかもワッペンの裏側に収納できる程の小型の物であるからこのリチウムワッペンは帽子．衣服．鞄等に容易に取付けることができる。更にリチウム電池はワッペンの内側に収納する。
【考案の効果】
【０００８】  以上に説明したように本考案は、布等を素材としたワッペン１の外周と図柄２の輪郭にリチウム電球３を縫着し、電源のリチウム電池４により、このワッペン１の外周と図柄２の輪郭のリチウム電球３が交互に又は同時に点滅する構造のリチウムワッペンであり、室内や薄暮から夜間の屋外では従来のワッペンと比較して極めて装飾的で立体的な注目性の高いワッペンである。
【図面の簡単な説明】
【図１】表面の見取図
【図２】裏面の見取図
【符号の説明】
１．ワッペン
２．図柄
３．リチウム電球
４．リチウム電池
５．基板
６．コード
７．スイッチ
【図１】
0003102312.tif 000003
【図２】
0003102312.tif 000004
(57)【要約】      （修正有）【課題】単なる高さ調節や解熱のためではなく、肩から首への血流を良くし、偏頭痛や耳鳴りを緩和するとともに、快眠及び疲労回復に有効な枕を提供することを課題とする。【解決手段】梅の種に由来する活性炭４の群と、ポリエステル等の樹脂製の不織布からなり、互いに隔離され全体として平面視Ｕ字ないし凹形をなす複数の部室を有し、各々の部室に前記活性炭４の群が充填された内袋３と、綿等の通気性材質からなり、活性炭４が充填された前記内袋３を包むとともに内袋３と縫合されている外袋２とを備えていることを特徴とする。【選択図】図３
0003102316.tif 000002
【実用新案登録請求の範囲】
【請求項１】
梅の種に由来する活性炭の群と、
ポリエステル等の樹脂製の不織布からなり、互いに隔離され全体として平面視Ｕ字ないし凹形をなす複数の部室を有し、各々の部室に前記活性炭の群が充填された内袋と、
綿等の通気性材質からなり、活性炭が充填された前記内袋を包むとともに内袋と縫合されている外袋と
を備えていることを特徴とする枕。
【考案の詳細な説明】
【技術分野】
【０００１】
この考案は、枕に属し、特に健康維持に好適な枕に属する。
【背景技術】
【０００２】
従来、枕と言えば、健康な人が就床時に起立時とほぼ等しい楽な姿勢で寝ることができるように頭の高さを調節するために用いられているか、又は氷枕のように解熱を目的とするものに過ぎない。
【考案の開示】
【考案が解決しようとする課題】
【０００３】
この考案は、上記のような単なる高さ調節や解熱のためではなく、肩から首への血流を良くし、偏頭痛や耳鳴りを緩和するとともに、快眠及び疲労回復に有効な枕を提供することを課題とする。
【課題を解決するための手段】
【０００４】
その課題を解決するために、この考案の枕は、
梅の種に由来する活性炭の群と、
ポリエステル等の樹脂製の不織布からなり、互いに隔離され全体として平面視Ｕ字ないし凹形をなす複数の部室を有し、各々の部室に前記活性炭の群が充填された内袋と、
綿等の通気性材質からなり、活性炭が充填された前記内袋を包むとともに内袋と縫合されている外袋と
を備えていることを特徴とする。
【０００５】
梅の種を焼成して得られる活性炭は、多孔質である。従って、この考案の枕によれば、空気中に存在するプラスイオンや異臭、水分などを効率よく吸着し、人体のイオンバランスを良好に調整するとともに、周囲の空気を清浄に保つ。また、充填された活性炭の群は、内袋によって他の部室への移動が規制され、全体としてＵ字形ないし凹形に配置されているので、就床時にその窪みに頭を置くことによって、後頭部から首にかけて活性炭の群で囲まれる。従って、血流が良くなり、偏頭痛や耳鳴りを緩和する。α波作用でリラックスし、快眠を促進もする。しかも梅の種は元々球状ないし楕円球状をなすから、欠けにくい。従って、炭塵が発生することはほとんどない。万一、欠けや擦りにより炭塵が発生しても内袋及び外袋で二重に覆われているので、外部に漏れることはない。
【考案の効果】
【０００６】
以上のように、この枕によれば、炭塵で周辺を汚染することなく、快眠快調及び休息が得られる。
【考案を実施するための最良の形態】
【０００７】
この考案の枕を図面を参照しつつ実施形態に基づいて説明する。
図１に平面図として示すように、枕１は方形の綿布からなる外袋２を備える。外袋２の中には、図２及び図３に図１のＡ−Ａ断面図及びＢ−Ｂ断面図として示すようにポリエステル製の不織布からなる内袋３を介して多数の活性炭４，４，４・・・４が充填されている。活性炭４は、梅の種を焼成して得られ、多孔質でほぼ球状をなす。
内袋３は、図４に平面図として示すように、上面と下面とが図示の接着線３ｄに沿って接着されることにより、その内部が両側の２つの縦長の部室３ａ、３ａ’と、中央の田の字もしくは格子状をなす４つの部室３ｂ、３ｂ’、３ｃ、３ｃ’との６つ部室に区画されている。活性炭４の群は、それら６つの部室のうち、中央上部の２つの部室３ｃ、３ｃ’を除く４室に充填されることにより、全体として凹形ないしＵ字形に配置されている。
【０００８】
次に、枕１の製造方法を説明する。多数の孔が厚さ方向に開けられたポリエステル製の長方形の不織布に同形の通気性ポリエチレン製フィルムを貼り合わせ、フィルム側を内にして二つ折りにする。そして、所定個所を熱溶着することにより、図５に平面図として示すように接着線３ｄに沿って接着された内袋３の前駆体３’が得られる。前駆体３’の両側の２室３ａ、３ａ’及び中央下部の２室３ｂ、３ｂ’は下方に開口を有し、中央上部の２室３ｃ、３ｃは接着線３ｄによって閉じられている。
４つの部室３ａ、３ａ’、３ｂ、３ｂ’に開口部より梅の種に由来する活性炭４を各部室の密度がほぼ均等になるように充填する。その後、開口部３ｆを熱溶着して全室を閉じる。これを外袋２に入れて、外袋２と内袋３とを、部室３ｃ、３ｃ’を大きく跨ぐＵ字形の縫合線３ｇに沿って縫合する。
【０００９】
枕１は、例えば以下のようにして使用される。普段寝るときに用いる枕の上に部室３ｂ、３ｂ’が足側となるように枕１を重ねるか又は枕カバーに差し込む。そして、頭を部室３ｃ、３ｃ’の上において仰向けに寝る。すると、部室３ａ、３ａ’に充填された活性炭４の群が耳の後ろに位置し、部室３ｂ、３ｂ’に充填された活性炭４の群が首の後ろに位置する。従って、活性炭４の作用で肩から首にかけての血流を良くするとともに偏頭痛や耳鳴りを防止する。また、α波作用でリラックスし、快眠できる。さらに、活性炭の吸着作用で周囲のイオンバランスが調整され、疲労が回復する。実際に、５０歳代６人、６０歳代１２人、７０歳代３人に試用してもらったところ、１６人以上の試用者が「枕１はこれらの効果を有する」と評価した。
【図面の簡単な説明】
【００１０】
【図１】実施形態の枕を示す平面図である。
【図２】図１のＡＡ断面図である。
【図３】図１のＢＢ断面図である。
【図４】内袋を示す平面図である。
【図５】内袋の前駆体を示す平面図である。
【符号の説明】
【００１１】
１  枕
２  外袋
３  内袋
４  活性炭
【図１】
0003102316.tif 000003
【図２】
0003102316.tif 000004
【図３】
0003102316.tif 000005
【図４】
0003102316.tif 000006
【図５】
0003102316.tif 000007
(57)【要約】    【課題】  舗装道路面の切断に際して切断角度を速やかに測定する分度器に関する。    【解決手段】  ０〜９０°まで目盛を記した４分の１の分度器の基端を支点として回動する矢印付きの作動杆と、この作動杆の下端に延長してヘラ状の挿入部を設け、カッターの切断直後に分度器を当てヘラを切断溝に挿入することによって作動杆の矢印が分度器の目を指して切断角度が即座にわかる。    【選択図】  図１
0003102318.tif 000002
【実用新案登録請求の範囲】
【請求項１】
０〜９０°の目盛を設けた４分の１円形の分度器Ａの基板を支点（２）として回動する作用杆（３）を設け、この作用杆の先端に矢印を形成した指示部（５）を設け、該作用杆（３）の支点（２）の先を延長してヘラ状のアタッチメント（６）を設けた角度測定器。
【請求項２】
作用杆（３）の支点（２）の先に設けるアタッチメント（６）は、棒状の延長体（７）であることを特徴とした請求項１に記載の角度測定器。
【考案の詳細な説明】
【技術分野】
【０００１】
本考案は、角度を測定する土木工事、例えば舗装道路のカッターによる切断工事や、コンクリート構造物の際に勾配を測定する角度測定器（分度器）に関する。
【背景技術】
【０００２】
従来、このような土木工事において角度を測定する場合にはスラント定規を使用して行っていた。
【特許文献１】特開２０００−１４４６２８号公報
【考案の開示】
【考案が解決しようとする課題】
【０００３】
従来から使用されている前記スラント定規は、角度の目盛と気泡を合せて計測するもので、測定が不明確で、また舗装道路の補修工事の際にカッターで傾斜を付けて切断する場合、作業の終了後に片側を撤去してからでなければ角度の測定が出来ないため作業工程が遅れてしまうという欠点があった。
【課題を解決するための手段】
【０００４】
考案者は、この点に鑑み鋭意試作研究を続けた結果本考案に到達したものであって、本考案は、角度を表わす分度器と、角度を示す作用杆とこれに連接するヘラ状のアタッチメントを設け、このヘラ状体を作業中路面カッターのカッター刃が進入した直後の切口に挿入して角度を測定する方式であって、カッターの後を追いながら即座に測定できる角度測
定器を提供する。
【考案の効果】
【０００５】
上述のように本考案は、カッター切断作業中に随時切断角度が確認できるため補正が即座に行え、施工の精度が上がり、仕上がり後の角度の確認も見易く正確に測定できるという作用効果を奏する。
【０００６】
またヘラ状のアタッチメントを棒状体等硬いものに変えることによって、コンクリート構造物の工事等にも幅広く使用が可能であって、これと同時にスケールを使用することによって傾斜部法面の幅や深さも計測でき多目的な使用も可能となる。
【考案を実施するための最良の形態】
【０００７】
添付図面により本考案を実施するための最良の形態を説明すると、図１は本考案の角度測定器の正面図であり、正面に分度器Ａが示されている。また図２、図３は作用を示す別の実施例図である。
【実施例】
【０００８】
図について本考案を説明すると、図１は角度を測定する分度器Ａの正面図であって０〜９０°の目盛が刻まれている４分の１円形の分度器で、この目盛には図示のように上方に矢印の指示部（５）が示されている。
【０００９】
この分度器Ａは、分度器の基部を支点（２）して回動する作用杆（３）があり、この作用杆（３）の先端に矢印を形成した指示部（５）を設けて形成されている。そしてこの作用杆（３）の支点（２）の先を延長して薄いヘラ状のアタッチメント（６）を設ける。
【００１０】
したがって、このヘラ状のアタッチメント（６）を図１により説明すると、図示されているように舗装版にカッターの刃（図示していない）が入った直後に、この面に分度器Ａを当て、作用杆（３）のヘラ状のアタッチメント（６）を切口に挿入することによって即座に作用杆先端の矢印が表面の目盛を指すことができるため、切角度を知りカッターの修
正によって行い、常に正確な切断が行える。
【００１１】
図２はアタッチメント（６）を棒状体（７）に変えた実施例図で、切断した舗装版の角度を後から測定するものであって、棒状体（７）を切断面に当てるだけで分度器Ａの指示部（矢印）が作動して即座に切断角度を知ることができる。
図３はコンクリート構造物の角度を測定する実施例図であって、長尺のアタッチメント（７）を使用することによって法面の測定が可能となる。図中のＢはスケールを示し、縦尺・横尺の比によって法面の角度が割り出せる。
【産業上の利用可能性】
【００１２】
本考案の角度測定器は、前述のように舗装道路の補修、改修の際のカッターに使用されることは勿論のことコンクリート構造物の法面の測定など広い技術分野で利用される。
【図面の簡単な説明】
【００１３】
【図１】本考案の角度測定器の正面図及び実施例図
【図２】本考案の角度測定器の実施例図
【図３】法面測定の実施例図
【符号の説明】
【００１４】
２  作用杆の支点
３  作用杆
５  指示部（矢印）
６  ヘラ状アタッチメント
７  棒状延長体
Ａ  分度器
Ｂ  スケール
【図１】
0003102318.tif 000003
【図２】
0003102318.tif 000004
【図３】
0003102318.tif 000005
(57)【要約】      （修正有）【課題】内部器機の点検・清掃を容易とし、プラスイオンの排出を全くなくしてマイナスイオンのみの発生とする。【解決手段】本体Ａの表面化粧板の下辺に螺着金具を設けて表面板の開閉を容易にし、マイナスイオン吹出し口にコアーを設け仕切板を嵌着することによって、マイナスイオン空気のみの送風を強力にすることができる。このため脱臭・殺菌力が増加して清潔な環境作りに成功した。【選択図】図１
0003102319.tif 000002
【実用新案登録請求の範囲】
【請求項１】
マイナスイオン発生機本体Ａの正面化粧板（１）の下辺に螺着金具（３）を設けて前方に開閉可能とし、該化粧板（１）の上辺に２本の取付けネジ（２）を設けて化粧板を固定し、該化粧板に多数のマイナスイオン空気吹出し口（４）を列設したことを特徴としたマイナスイオン発生機。
【請求項２】
化粧板（１）に列設するマイナスイオン空気吹出し口（４）内に先細りのテーパー状に形成したコアー（５）を嵌着することによりマイナスイオンのみを放出すること、該コアー（５）には隅部を曲線Ｒ形状に形成した安全仕切板（６）を設けたことを特徴とした請求項１に記載のマイナスイオン発生機。
【考案の詳細な説明】
【技術分野】
【０００１】
本考案は、コロナ放電型のマイナスイオン発生機に関する。  
【背景技術】
【０００２】
生活環境を改善するために研究開発が行われているマイナスイオン発生機には、本考案のようなコロナ放電方式によるもの、あるいはトルマリン電気石によるもの等いくつかの方式があり、それぞれ特徴があって構造においても相違している。
【０００３】
本考案は、コロナ放電型のマイナスイオン発生機であって、家庭用を含めて一般室内での使用に適しているように小形軽量化を旨とし、マイナスイオン発生量も他の方式のものに比較して抜群に高い。
【特許文献１】特願２００２−２３９７２１号公報
【特許文献２】実用新案登録第３０９８８２４号公報
【考案の開示】
【考案が解決しようとする課題】
【０００４】
前記特許文献１に記載されている発明は、コロナ放電によるマイナスイオン発生機の基本に係るものであり、特許文献２に記載されている発明はマイナスイオン発生機の表面化粧板の構造に関するものであって、本考案はこの表面化粧板の改良に係るものである。
【課題を解決するための手段】
【０００５】
考案者は、さらにこの表面化粧板について研究を重ねた結果本考案に到達したものであって、本考案は、表面化粧板の下辺に螺着金具を設けることによって表面化粧板を開閉可能とし、これによって一般家庭でも機器内部のグランド板や針およびファン等の点検・清掃を容易とし、常に新鮮なマイナスイオン空気を送ることが可能となった。
【０００６】
そして空気吹出し口についても、先細りのコアーを嵌装することによって吹出し力を強め、マイナスイオンのみの排出につとめ、さらに吹出し口の開口部に設ける仕切板の隅部を曲線Ｒ形状とすることによってホコリ等の付着を少くして掃除の際のホコリ落しを容易とした。
【考案の効果】
【０００７】
本考案は、上述の如く表面化粧板の下辺に螺着金具を設けて開閉を容易にして一般家庭でも内部の点検・清掃を容易にし、マイナスイオン空気吹出し口に先細りのコアーを設け、仕切板を嵌着することにより、常に新鮮なマイナスイオン空気のみの送気ができるため、脱臭・殺菌力が増して清潔な住環境が提供できる。
【考案を実施するための最良の形態】
【０００８】
マイナスイオン発生機本体Ａの表面化粧板（１）の構造及び吹出し口（４）の形態を変えることによって健康で住みよい環境を実現した。
【実施例】
【０００９】
添付図面により本考案の実施例を説明すると、図１は本考案のマイナスイオン発生機Ａの全体を表わす正面図であって、（１）は表面化粧板を示している。また図２は本体Ａから表面化粧板（１）を開閉する実施例図であって、図示されるように表面化粧板（１）は本体Ａに対して蓋のように形成され、本体Ａの下辺に螺着金具（３）により開閉可能に装着されている。従って図１において符号（２）は止めネジである。
【００１０】
本考案のマイナスイオン発生機Ａの表面化粧板（１）はこのように簡単に開閉できるため、一般家庭にあって内部のファンやグランド板および針の清掃や点検をする場合において気軽に簡単にできるため、常に新鮮なマイナスイオン空気の送風ができて室内の清潔が保たれる。
【００１１】
図３、図４は表面化粧板（１）に多数列設したマイナスイオン空気の吹出し口（４）の詳細図であって、図３は１個の吹出し口の正面図であり、図４は、この断面図を示すものである。
【００１２】
図示されているように、表面化粧板（１）に設けた吹出し口（４）には、表面側に向けて先細りのコアー（５）が嵌装され、このコアー（５）の外側に仕切板（６）が嵌合して設けてある。
【００１３】
このコアー（５）は、図示していないが、本体内のコロナ放電から発生するマイナスイオンがファンからの風となって吹出し口（４）から矢印のように排出される。この排出されるマイナスイオン空気風は、先細りのコアー（５）によって強く送風されるため室内の遠方まで届き、このコアーの存在によってプラスイオンの混在しないマイナスイオンのみ
の風となって排出することができる。
【００１４】
コアー（５）の仕切板（６）は、子供が指などを入れないようにするための安全板と外観を良くするための装飾を兼ねたものであるが、従来の仕切板は角型に形成されているため、ホコリが付き易く、掃除の際にも隅のホコリが取りにくかったが、本考案においては、隅をＲ型とすることによりホコリが付きにくく、また掃除もし易くなった。
【産業上の利用可能性】
【００１５】
本考案のマイナスイオン発生機は、常に新鮮なマイナスイオン空気のみを力強く送風することができるため広く利用することが可能で、しかも図示のように外観が美しいことも加えてインテリアとしても使用できる。
【図面の簡単な説明】
【００１６】
【図１】マイナスイオン発生機Ａの全体を示す正面図
【図２】使用形態を示す実施例図
【図３】吹出し口の詳細図
【図４】吹出し口の断面図
【符号の説明】
【００１７】
１  表面化粧板
２  止めネジ
３  螺着金具
４  吹出し口
５  コアー
６  仕切板
Ａ  本体
【図１】
0003102319.tif 000003
【図２】
0003102319.tif 000004
【図３】
0003102319.tif 000005
【図４】
0003102319.tif 000006
(57)【要約】【課題】  本考案はひざ裏生地を利用して収納部を作り、折畳み収納に際しては折畳んだままで収納部に収納し、持ち運びに際して型崩れがなく、且皺になり難くしてアイロンがけ等をしなくても着用できるようにしようとするものである。【解決手段】前身頃とひざ裏地の中間に脇ポケットを設けたズボン本体において、片側ひざ裏地の脇ポケットを被う位置の上部裏面に収納生地を重合して周囲を逢着すると共に、収納生地の重合する位置のひざ裏地には上下方向の開口部を設け、該開口部の左右の口縁はオーバラップさせて開閉自在とした収納部付ズボン。【選択図】  図１
0003102317.tif 000002
【実用新案登録請求の範囲】
【請求項１】
前身頃とひざ裏地の中間に脇ポケットを設けたズボン本体において、片側ひざ裏地の脇ポケットを被う位置の上部裏面に収納生地を重合して周囲を逢着すると共に、収納生地の重合する位置のひざ裏地には上下方向の開口部を設け、該開口部の左右の口縁はオーバラップさせて開閉自在とした収納部付ズボン。
【考案の詳細な説明】
【技術分野】
【０００１】
本考案は、出張、旅行時などにコンパクトに折畳み型崩れがなく収納、持ち運びできるようにしたズボンに関する。
【背景技術】
【０００２】
従来ズボンにあっては、ひざ裏地の裏にポケット生地を重合しているに過ぎず、折畳み収納に際しては単純に股下の両足部を揃えて全体を折り畳み、これを旅行バックなどに収納し持ち歩くようにしているが、型崩れを起こしやすく、且皺がよってアイロンがけ等をしなくては着用に耐え得ないなどの不便がある。
【考案の開示】
【考案の効果】
【０００３】
本考案は全体を折畳み、この折畳み状態のまま、収納部に収納できるので出張や、旅行などに際し持ち歩いても型崩れや皺になりにくく、且コンパクトになって持ち運びに便利である。
【考案が解決しようとする課題】
【０００４】
そこで本考案はひざ裏生地を利用して収納部を作り、折畳み収納に際しては折畳んだままで収納部に収納し、持ち運びに際して型崩れがなく、且皺をより難くしてアイロンがけ等をしなくても着用できるようにしようとするものである。
【問題点を解決するための手段】
【０００５】
本考案は、前身頃とひざ裏地の中間に脇ポケットを設けたズボン本体において、片側ひざ裏地の脇ポケットを被う位置の上部裏面に収納生地を重合して周囲を逢着すると共に、収納生地の重合する位置のひざ裏地には上下方向の開口部を設け、該開口部の左右の口縁はオーバラップさせて開閉自在とした収納部付ズボンである。
【考案を実施するための最良の形態】
【０００６】
本案を図示の実施例によって詳記すると、前身頃１とひざ裏地２の中間に脇ポケット３を設けたズボン本体４において、片側ひざ裏地２の脇ポケット３を被う位置の上部裏面に収納生地５を重合して周囲を逢着すると共に、収納生地の重合する位置のひざ裏地には上下方向の開口部６を設け、該開口部６の左右の口縁７，７’はオーバラップさせて開閉自在としたものである。
口縁７，７’にはマジックテープ等の掛止具９を設けて掛止自在としておくこともできる。
【０００７】
本案は以上のようになるものでこれを使用するには、ズボン本体４を裏返しにし、股上の上下中心線位置より裏側に折畳み、その後股下の両足部８，８’を収納生地５と反対側のひざ裏地方向に折畳み、その後開口部６を左右に開いて反転させ、全体を収納生地５内に包み込む。
【０００８】
着用に際しては上記と反対に開閉口６りズボン本体４を引き出し表に返して着用する。
【図面の簡単な説明】
【０００９】
【図１】本考案に係るズボンの部分裏面説明図。
【符号の説明】
【００１０】
１  前身頃
２  ひざ裏地
３  脇ポケット
４  ズボン本体
５  収納生地
６  開口部
７，７’  口縁
８，８’  両足部
【図１】
0003102317.tif 000003